(57)【特許請求の範囲】
【請求項１】
光チャネルの反射プロファイルを推定するための方法であって、
前記光チャネルの測定された反射プロファイル（ＲＰ）を提供するステップと、
１つまたは複数の推定された反射ピーク（Ｐ１、Ｐ２、Ｐ３）を前記測定された反射プロファイル（ＲＰ）内で推定するステップと、
推定された反射ピーク（Ｐ１、Ｐ２、Ｐ３）を、前記測定された反射プロファイル（ＲＰ）から除外することによって、残留反射プロファイル（ＲＲＰ）を決定するステップと、クロストークノイズの、１つまたは複数の推定されたクロストーク周波数成分（ＣＴ）を、前記残留反射プロファイル（ＲＲＰ）内で修正することによって、修正された残留反射プロファイル（ＭＲＲＰ）を決定するステップと、
前記推定された反射ピーク（Ｐ１、Ｐ２、Ｐ３）と前記修正された残留反射プロファイル（ＭＲＲＰ）を重ね合わせることによって、推定された反射プロファイル（ＥＲＰ）を決定するステップと
を含み、
前記クロストークノイズは、前記測定された反射プロファイル（ＲＰ）を提供するデバイス以外のデバイスによって、前記測定された反射プロファイル（ＲＰ）を提供するデバイスにもたらされる、方法。
【請求項２】
前記測定された反射プロファイル（ＲＰ）が、時間領域において提供され、
前記反射ピーク（Ｐ１、Ｐ２、Ｐ３）を時間領域において推定するステップと、
前記推定された反射ピーク（Ｐ１、Ｐ２、Ｐ３）を時間領域において除外するステップと
をさらに含む、請求項１に記載の方法。
【請求項３】
前記反射ピーク（Ｐ１、Ｐ２、Ｐ３）を時間領域において推定するステップが、
前記測定された反射プロファイル（ＲＰ）の２次導関数（ＳＤ）を決定するステップと、
前記２次導関数（ＳＤ）がそれに対する閾値（Ｔ１）を超える、前記２次導関数（ＳＤ）の指標を決定するステップと
を含む、請求項２に記載の方法。
【請求項４】
前記反射ピーク（Ｐ１、Ｐ２、Ｐ３）を時間領域において推定する前記ステップが、
決定された指標に指標が対応する、前記測定された反射プロファイル（ＲＰ）の値を使用するステップを含む、請求項３に記載の方法。
【請求項５】
前記反射ピーク（Ｐ１、Ｐ２、Ｐ３）を時間領域において推定する前記ステップが、
前記決定された指標を中心に展開されている１つまたは複数の事前定義された時間窓内に指標が位置する、前記測定された反射プロファイル（ＲＰ）の値をさらに使用するステップを含む、請求項４に記載の方法。
【請求項６】
前記閾値（Ｔ１）が、前記２次導関数の中央絶対値を使用して決定される、請求項３に記載の方法。
【請求項７】
前記測定された反射プロファイル（ＲＰ）が、時間領域において提供され、
前記クロストーク周波数成分（ＣＴ）を周波数領域において推定するステップと、
前記クロストーク周波数成分（ＣＴ）を周波数領域において修正するステップと
をさらに含む、請求項１に記載の方法。
【請求項８】
前記クロストーク周波数成分（ＣＴ）を周波数領域において推定するステップが、
前記残留反射プロファイル（ＲＲＰ）を時間領域から周波数領域に変換することによって、前記残留反射プロファイル（ＲＲＰ）のスペクトル（Ｓ）を決定するステップと、
前記スペクトル（Ｓ）の振幅の１次導関数（ＦＤ）を決定するステップと、
前記１次導関数（ＦＤ）がそれに対するスペクトル閾値（Ｔ２）を超える、前記１次導関数（ＦＤ）のスペクトル指標を決定するステップと
をさらに含む、請求項７に記載の方法。
【請求項９】
前記クロストーク周波数成分（ＣＴ）を周波数領域において修正するステップが、
決定されたスペクトル指標にスペクトル指標が対応する、前記スペクトル（Ｓ）の値を修正するステップをさらに含む、請求項８に記載の方法。
【請求項１０】
前記クロストーク周波数成分（ＣＴ）を周波数領域において修正するステップが、
前記決定されたスペクトル指標を中心に展開されている１つまたは複数の事前定義されたスペクトル窓内にスペクトル指標が位置する、前記スペクトル（Ｓ）の値もまた修正するステップをさらに含む、請求項９に記載の方法。
【請求項１１】
前記クロストーク周波数成分（ＣＴ）を周波数領域において修正するステップが、
スペクトル値をそれぞれのスペクトル窓内でそれぞれの平均値に設定するステップであって、前記平均値が、指標が前記それぞれのスペクトル窓に隣接するスペクトル値の平均として決定される、設定するステップをさらに含む、請求項１０に記載の方法。
【請求項１２】
前記修正された残留反射プロファイル（ＭＲＲＰ）を決定するステップが、
修正されたスペクトルを時間領域に逆に変換することによって、前記修正された残留反射プロファイル（ＭＲＲＰ）を決定するステップをさらに含む、請求項８に記載の方法。
【請求項１３】
光チャネルの反射プロファイルを推定するためのデバイスであって、
少なくとも１つのデータインタフェース（ＤＩ）と、
少なくとも１つのメモリデバイス（Ｍ）と、
少なくとも１つの処理デバイス（Ｐ）と
を備え、
前記データインタフェース（ＤＩ）が、前記光チャネルの測定された反射プロファイル（ＲＰ）を受信することができ、
前記メモリデバイス（Ｍ）および前記処理デバイス（Ｐ）が、協同で、
１つまたは複数の推定された反射ピーク（Ｐ１、Ｐ２、Ｐ３）を前記測定された反射プロファイル（ＲＰ）内で推定し、
推定された反射ピーク（Ｐ１、Ｐ２、Ｐ３）を、前記測定された反射プロファイル（ＲＰ）から除外することによって、残留反射プロファイル（ＲＲＰ）を決定し、
クロストークノイズの、１つまたは複数の推定されたクロストーク周波数成分（ＣＴ）を、前記残留反射プロファイル（ＲＲＰ）内で修正することによって、修正された残留反射プロファイル（ＭＲＲＰ）を決定し、
前記推定された反射ピーク（Ｐ１、Ｐ２、Ｐ３）と前記修正された残留反射プロファイル（ＭＲＲＰ）を重ね合わせることによって、推定された反射プロファイル（ＥＲＰ）を決定する
ことができ、
前記クロストークノイズは、前記測定された反射プロファイル（ＲＰ）を提供するデバイス以外のデバイスによって、前記測定された反射プロファイル（ＲＰ）を提供するデバイスにもたらされる、推定するためのデバイス。
【発明の詳細な説明】
【技術分野】
【０００１】
本発明は、光チャネルの反射プロファイルを推定するための方法およびデバイスに関する。
【背景技術】
【０００２】
最近では、受動光ネットワーク（ＰＯＮ）とも呼ばれるアクセスネットワークは、複数の顧客をデータ伝送のコアネットワークに接続するために使用される。
【０００３】
このようなアクセスネットワークでは、コアネットワークとアクセスネットワークとの相互接続は、光回線終端装置（ＯＬＴ：Ｏｐｔｉｃａｌ  Ｌｉｎｅ  Ｔｅｒｍｉｎａｌ）を備える、いわゆる中央局で行われる。
【０００４】
ＯＬＴは、少なくとも１つの、好ましくは光フィーダーファイバー（ｏｐｔｉｃａｌ  ｆｅｅｄｅｒ  ｆｉｂｅｒ）と呼ばれる光ファイバを介して、いわゆるリモートノードに接続される。このリモートノードでは、ＯＬＴによって伝送された光ダウンリンク信号が、様々な光分岐器に分配され、光分岐器には１つまたは複数の顧客が光ネットワークユニット（ＯＮＵ）によって接続されている。
【０００５】
顧客は光分岐器を介して光アップリンク信号をリモートノードに向けて送信し、リモートノードはこれらの光アップリンク信号を、集約されたアップリンク信号へと連結し、集約された信号を光フィーダーファイバーを介して、ＯＬＴを備えた中央局に伝送する。
【０００６】
デバイスが光信号を伝送する先の伝送チャネルの伝送プロパティを決定するために、光時間領域リフレクトメトリ法（ＯＴＤＲ：Ｏｐｔｉｃａｌ  Ｔｉｍｅ  Ｄｏｍａｉｎ  Ｒｅｆｌｅｃｔｏｍｅｔｒｙ）の測定技法を適用することができる。このようなＯＴＤＲ測定では、伝送チャネルの反射プロファイルが推定される。好ましくは、ＯＴＤＲの技法がＯＬＴで実行される。
【０００７】
ＯＴＤＲのために、光パルスの形式の光測定信号が、１つまたは複数の光ファイバを含む光チャネル内に伝送され得る。そのような光ファイバは通常、不均質な材料で形成され、それにより、光測定信号の後方散乱が生じる。好ましくは受信応答信号と呼ばれる、後方散乱した光信号は、次いで、時間と共に反射プロファイルとして記録することができる。受信応答信号は、光ファイバ内の光信号の伝搬速度が分かっていれば、時間領域から距離に変換することができる。
【０００８】
例えば、オープンコネクタやファイバコネクタの汚れなどの、光チャネルの様々な欠陥は、測定信号の後方散乱の特徴的な増加または減少を生じさせる場合があり、それは、反射プロファイル内で反射ピークとして観察され得る。反射プロファイルおよびそのプロファイルに含まれる反射ピークを検査することによって、光チャネル内のどの距離に欠陥が存在するかを導き出すことができる。
【０００９】
単一光パルスを測定信号として使用するのではなく、ＯＴＤＲのより高度な技法を利用することができる。この高度な技法は、相関シーケンスに依存して光信号の振幅が変調される光信号を活用する。受信応答信号は、最初に記録され、次いで反射プロファイルを決定するために使用される。これは、時間離散型の受信応答信号と初期の相関シーケンス自体を相互に関連付けることによって実現される。相関シーケンスの自己相関関数が、ディラックのデルタ関数に等しいか、デルタ関数によって近似的に特定される場合、相関関係の結果から、時間領域における、光チャネルのインパルス応答の推定が生じ、その推定は反射プロファイルの近似である。
【００１０】
伝送データを搬送する光伝送信号を伝送デバイスを使用して光チャネルに伝送するときに、さらに別個のデバイスを使用することでＯＴＤＲの技法を実行してもよい。伝送デバイスおよび別個のＯＴＤＲデバイスは、この場合、両方が同じ光チャネルに、好ましくは光結合器を介して結合される。
【００１１】
より高度な技法は、組込みＯＴＤＲ（ｅＯＴＤＲ：ｅｍｂｅｄｄｅｄ  ＯＴＤＲ）の技法であり、そこでは、伝送デバイス自体が、光伝送信号を生成するためのハードウェアおよびＯＴＤＲ測定を実行するために必要なハードウェアを備えている。好ましくは、光伝送信号は、相関シーケンスに依存して直接変調され、そこでは、この直接変調の周波数は、受信側でのデータ受信を乱さないように選択される。直接変調された測定信号を搬送する光伝送信号を光チャネルに伝送した後、光伝送信号が変調されたその周波数を除去することによって、光チャネルの受信応答信号を得ることができる。先に説明してきたように、この受信応答信号は、次いで、信号相関の技法を介して、反射プロファイルを決定するために使用することができる。
【発明の概要】
【課題を解決するための手段】
【００１２】
光チャネルの反射プロファイルを推定する方法が提案される。この方法は、様々なステップを含む。
【００１３】
光チャネルの測定された反射プロファイルが提供される。１つまたは複数の反射ピークが、測定された反射プロファイル内で推定される。
【００１４】
推定された反射ピークを、測定された反射プロファイルから除外することによって、残留反射プロファイルが決定される。さらに、１つまたは複数の推定されたクロストーク周波数成分を残留反射プロファイル内で修正することによって、修正された残留反射プロファイルが決定される。
【００１５】
最後に、推定された反射ピークと修正された残留反射プロファイルを重ね合わせることによって、推定された反射プロファイルが決定される。
【００１６】
提案されている方法の利点を把握するために、以下の側面を考慮することができる。
【００１７】
組込みＯＴＤＲの方法を実行すると、反射プロファイルの測定を実行するハードウェアコンポーネントは、同じ１つのデバイス内に存在する他のハードウェアコンポーネントによってもたらされるクロストークノイズの影響を受ける場合がある。このようなクロストークノイズは、測定された応答信号、ひいては測定された反射プロファイルをも劣化させる恐れがある。クロストークノイズは、特に、ＯＴＤＲデバイスの伝送デバイスへの統合がスモールフォームファクタプラガブル（ＳＦＰ）として行われる場合に現れ得る。
【００１８】
信頼性のある、推定された反射プロファイルを取得するために、クロストークノイズの影響は、削減される必要がある。１つの対策は、ハードウェアデバイスによって生成される電磁場がもたらすクロストークノイズの量を減らすために、ハードウェアデバイスを遮蔽することであろう。このような対策は、ｅＯＴＤＲを実行するデバイスに割かれる空間の制約に起因して、一方では困難なものであり、他方では高額になり得るものでもある。
【００１９】
クロストークノイズを、測定された反射プロファイルから除外するために、フィルタリング技法を適用することができる。このようなフィルタリング技法は、クロストークノイズに影響を与えるだけでなく、測定された反射プロファイル内に存在する反射ピークにも影響を与える場合がある。先に説明してきたように、そのような反射ピークは、光チャネルの欠陥を検出できるように、フィルタリングされた反射プロファイル内に存在し続けなければならない。
【００２０】
提案されている方法は、最初に反射ピークを推定し、次いで、残留反射プロファイルを導出するためにこれらのピークを除外する。次に、推定されたクロストーク周波数成分が修正されるように、残留反射プロファイルがフィルタリングされる。通常、クロストークが、１つまたは複数のスペクトルピークを反射プロファイルのスペクトル内に生じさせるという事実に起因して、クロストークノイズは、推定されたクロストーク周波数成分を修正することによって、削減可能である。クロストーク周波数成分を修正した後、導出された、修正された残留反射プロファイルは、先に推定された反射ピークと重ね合わせられる。
【００２１】
このように、提案されている、反射を推定する方法は、フィルタリング技法を適用し、その技法では、推定された反射ピークが最初に、測定された反射プロファイルから分離され、その後、別個に、クロストークノイズを周波数領域においてフィルタリングし、そして最後に、再びフィルタリング結果を、維持された反射ピークと重ね合わせる。したがって、クロストークの影響を削減するためのこのフィルタリング技法は、最終的に推定される反射プロファイル内に存在する反射ピークの大幅な劣化を回避する。したがって、推定された反射プロファイルは、十分に維持された反射ピークを含む。したがって、推定された反射プロファイルは、光チャネルの欠陥を反射ピークによって検出するとともに、クロストークノイズの削減に起因して、光チャネルの減衰特性を確実に推定するために使用することができる。
【図面の簡単な説明】
【００２２】
【図１】一実施形態による提案されている方法の流れ図である。
【図２ａ】線形領域における測定された反射プロファイルを示す図である。
【図２ｂ】対数領域における測定された反射プロファイルを示す図である。
【図３】線形領域における、測定された反射プロファイルの２次導関数を示す図である。
【図４ａ】推定された反射ピークを示す図である。
【図４ｂ】残留反射プロファイルを示す図である。
【図５】残留反射プロファイルのスペクトルの振幅を示す図である。
【図６】１次導関数の振幅を示す図である。
【図７】修正された残留反射プロファイルを示す図である。
【図８ａ】線形領域において、推定された反射プロファイルが、横座標において時間スケール上にプロットされている図である。
【図８ｂ】対数領域において、推定された反射プロファイルが、横座標において時間スケール上に示されている図である。
【図９ａ】線形領域において、推定された反射プロファイルが、横座標において距離スケール上にプロットされている図である。
【図９ｂ】対数領域において、推定された反射プロファイルが、横座標において距離スケール上に示されている図である。
【図１０】一実施形態による、提案されているデバイスを示す図である。
【発明を実施するための形態】
【００２３】
図１は、好ましい実施形態による提案されている方法の流れ図を示す。ステップＳ１では、光チャネルの測定された反射プロファイルとしてＯＴＤＲトレースが提供される。このＯＴＤＲトレースは、提案されている方法も実行するデバイスによって測定することができる。別の解決策によれば、ＯＴＤＲトレースは、第１のデバイスによって、第２のデバイスに、第２のデバイスのデータインタフェースを介して提供されてもよく、第２のデバイスは、ＯＴＤＲトレースのデータを受信し、次いでＯＴＤＲトレースを、提案されている方法の別のステップを実行する、第２のデバイスの別のサブデバイスに提供する。
【００２４】
ＯＴＤＲトレースは、好ましくは、サンプリングされた時間離散信号の形の測定された反射プロファイルである。好ましくは、サンプリングされた、測定された反射プロファイルのサンプリング周波数は、数メガヘルツの範囲内に、好ましくは、４０ＭＨｚに位置する。そうした４０ＭＨｚのサンプリング周波数は、２５ｎｓのサンプリング間隔に対応する。光ファイバ内の光信号の代表的な伝搬速度を考慮に入れると、２５ｎｓのサンプリング間隔は、２．５ｍの距離の分解能に対応する。
【００２５】
測定された反射プロファイルＲＰは、提案されている方法の次のステップＳ２に提供される。図２ａは、線形領域における測定された反射プロファイルＲＰの例を示し、そこでは、マイクロ秒の時間分解能に対応する時間スケールが横座標に示されている。反射プロファイルＲＰは、この例で、少なくとも３つの反射ピーク、Ｐ１、Ｐ２、Ｐ３と、クロストークノイズを含み、クロストークノイズは、明確に、反射プロファイルＲＰ上に重なるノイズ信号として見える。
【００２６】
図２ａの反射プロファイルＲＰは、繰り返し、図２ｂにおいて、対数領域における反射プロファイルＲＰＬとして示されている。図２ａの反射プロファイルＲＰおよび図２ｂの反射プロファイルＲＰＬの両方は、ここでは、マイクロ秒の時間スケールで、時間連続信号としてプロットされており、当業者であれば、こうした時間連続プロットが時間離散のサンプリングされた反射プロファイルを表示できることを理解するであろう。したがって、反射プロファイルＲＰおよびＲＰＬのプロットされた値は、図２ａおよび図２ｂに示されている時間スケールに対応する離散指標（ｉｎｄｉｃｅｓ）上にプロットされた時間離散値として見なされ得る。
【００２７】
図１に戻ると、反射プロファイルＲＰ内に存在する反射ピークＥＰが、ステップＳ２内で推定される。こうした推定された反射ピークＥＰは、次いで、分かれたステップＳ２１で格納することができる。測定された反射プロファイルＲＰは、時間領域において提供され、一方、推定された反射ピークＥＰもまた、好ましくは、時間領域において推定される。反射ピークを推定するために、測定された反射プロファイルの２次導関数が決定される。これは、時間離散の測定された反射プロファイルに対して、時間領域における２階微分の信号を決定することによって得ることができる。この２次導関数を導出すると、反射ピークは、２次導関数が、それに対して定義された閾値を超える時間離散指標に対して存在すると推定される。
【００２８】
図３は、２次導関数ＳＤを閾値Ｔ１と共に示す。閾値Ｔ１は、２次導関数ＳＤの中央絶対値（ｍｅｄｉａｎ  ａｂｓｏｌｕｔｅ  ｖａｌｕｅ）を決めることによって決定することができる。閾値Ｔ１は、この中央絶対値に固定ファクタを乗じたものに選ばれることが好ましい。固定ファクタは、好ましくは、値１と値１０の範囲内で選ばれる。好ましい実施形態では、固定ファクタは、値６に選ばれる。
【００２９】
先に概説されたように、１つまたは複数の反射ピークの存在を推定するために、２次導関数がそれに対する閾値を超える、２次導関数の時間離散指標が決定される。推定された反射ピークは次いで、時間離散指標が、決定された時間離散指標に対応するか、それに等しい、測定された反射プロファイルＲＰの値として決定される。
【００３０】
好ましくは、測定された反射プロファイルＲＰのこれらの決定された値が、推定された反射ピークとして使用されて次に除外されるのみでなく、測定された反射プロファイルＲＰの別の値もまた推定された反射ピークとして使用される。これらの別の値は、先に決定された時間離散指標を中心に展開されている事前定義された時間窓内に、対応する別の時間離散指標が位置する値である。したがって、好ましくは、時間離散指標の組合せセットに対応する値の組合せセットが、反射ピークを推定するために使用され、そこでは、時間離散指標の組合せセットが、時間離散指標の、先に決定されたセットと別の時間離散指標との組合せである。
【００３１】
測定された反射プロファイルＲＰに対する４０ＭＨｚのサンプリング周波数の場合、時間窓は、好ましくは、８時間離散指標の幅を有し、それは、２００ｎｓ、すなわち２０ｍの距離分解能に対応する。さらに、相関シーケンスの代わりにＯＴＤＲ測定に対して単一光パルスのみを使用すると、時間窓の適当な時間幅は、光パルスの半値全幅に対応する。さらにまた、時間窓の適当な時間幅は、相関シーケンスを使用したＯＴＤＲ測定から生じる、ディラックのデルタ関数の適当な時間幅に対応する。
【００３２】
時間窓は、好ましくは、時間窓の範囲に入る測定された反射プロファイルの値に対して重み係数を定義する重み付け窓である。第１の解決策によれば、重み付け窓は、定数係数１を、時間窓の範囲に入る、測定された反射プロファイルの値に適用する単純な矩形窓である。別の解決策によれば、重み付け窓は、０から１の範囲の様々な値を、時間窓の範囲に入る、測定された反射プロファイルの値に適用する２乗余弦窓である。こうした２乗余弦窓を使用することによって、反射ピークを表す値と非反射ピークを表す値のよりスムーズな変換が実現される。
【００３３】
図４ａは、線形領域におけるいくつかの推定された反射ピークＥＰを示す。
【００３４】
図１に戻ると、ステップＳ３内で、推定された反射ピークが、測定された反射プロファイルＲＰから除外される。これにより、残留反射プロファイルＲＲＰが生じる。図４ｂは、線形領域における残留反射プロファイルＲＲＰを示す。反射ピークが検出された指標における測定された反射プロファイルの初期値を、反射ピークが検出された指標に隣接する指標の反射プロファイルの平均値によって置き換えることによって、反射ピークが残留反射プロファイルＲＲＰから除外される。
【００３５】
図１に戻ると、取得された残留反射プロファイルＲＲＰが、次いで、クロストークノイズを除去するために使用される。
【００３６】
図５は、残留反射プロファイルのスペクトルの振幅Ｓを示す。クロストークノイズの周波数成分ＣＴもまた、図５で示されている。残留反射プロファイルのスペクトル内で、推定されたクロストーク周波数成分を修正することによって、修正された残留反射プロファイルが決定される。
【００３７】
そうした修正は、図１のステップＳ４で実行される。図５に示されるクロストーク周波数成分ＣＴが、周波数領域で推定され、また周波数領域で修正もされる。そのようなクロストーク周波数成分ＣＴは、残留反射プロファイルのスペクトル内のより低い周波数領域内ではスペクトルピークとして予想される場合があり、一方、通常、より高い周波数に関しては、不連続性がないことが予想される。
【００３８】
クロストーク周波数成分ＣＴを推定する場合、反射プロファイルのスペクトルが、残留反射プロファイルを時間領域から周波数領域に変換することによって決定される。これは、好ましくは、周波数変換によって実行され、周波数変換は、時間領域において離散的であり、また周波数領域において離散的である。好ましくは、高速フーリエ変換（ＦＦＴ）が使用される。これにより、複素離散周波数スペクトルが生じる。そのような離散周波数スペクトルの振幅Ｓが、図５に示されているものであり、そこでは周波数スケールが、連続スケールとして横座標にプロットされる。この例では、プロットされる離散値の数は、４０９６である。
【００３９】
最後に、クロストーク周波数成分ＣＴを検出する場合、複素離散周波数スペクトルが、好ましくは、１階微分信号を決定することによって一度微分される。これにより、複素１次導関数が生じる。次いで、この１次導関数の振幅が決定され、それにより、実数値が生じる。
【００４０】
図６は、残留反射プロファイルのスペクトルの１次導関数の振幅ＦＤを示す。１次導関数の振幅ＦＤがそれに対するスペクトル閾値Ｔ２を超える、１次導関数の振幅ＦＤのスペクトル指標が決定される。複素スペクトルが、次いで、決定されたスペクトル指標に対応する指標のその複素数値において、修正される。
【００４１】
閾値Ｔ２は、１次導関数の振幅ＦＤの中央値を決めることによって決定することができる。閾値Ｔ２は、この中央値に固定ファクタを乗じたものに選ばれることが好ましい。固定ファクタは、好ましくは、値１と値１０の範囲内で選ばれる。好ましい実施形態では、固定ファクタは、値６に選ばれる。
【００４２】
好ましくは、閾値Ｔ２は、事前定義されたスペクトル領域ＦＲ内で、１次導関数の振幅ＦＤの中央値を決めることによって決定される。このスペクトル領域ＦＲは、下限周波数限界ＬＬおよび上限周波数限界ＵＬを有する。この中央値に、次いで固定ファクタを乗じることができる。固定ファクタは、好ましくは、値１と値１０の範囲内で選ばれる。好ましい実施形態では、固定ファクタは、値６に選ばれる。
【００４３】
好ましくは、スペクトルの複素スペクトル値の修正は、１次導関数の振幅ＦＤがそれに対するスペクトル閾値Ｔ２を超えるスペクトル指標におけるスペクトル値に対して実行されるのみでなく、先に決定されたスペクトル指標を中心に展開されている１つまたは複数の事前定義されたスペクトル窓内に別のスペクトル指標が位置する別のスペクトル値に対しても実行される。
【００４４】
したがって、離散スペクトル指標の組合せセットに対応する値の組合せセットが、クロストーク周波数成分の推定とその後のそれらの成分の修正のために使用され、そこでは、離散スペクトル指標の組合せセットが、離散スペクトル指標の、先に決定されたセットと、別の離散スペクトル指標との組合せであることが好ましい。
【００４５】
好ましくは、スペクトル窓は、事前定義された幅を有し、幅は、好ましくは、８スペクトル指標の幅である。好ましくは、このスペクトル窓は、別の一解決策では、１または０の重み係数を適用する矩形窓であり得る重み付け窓である。別の解決策によれば、スペクトル窓は、０と１の範囲内で変わる重み係数を適用する２乗余弦窓である。
【００４６】
クロストーク周波数成分を推定するために使用されるスペクトル指標に相当する、対応する複素スペクトル値は、それぞれの平均値に修正される。これらの対応する複素スペクトル値のうちの１つに対して、それぞれの複素平均値は、修正される対応する値に隣接する隣接スペクトル値の平均として決定される。
【００４７】
好ましくは、クロストーク周波数成分およびこれらの成分の修正の推定は、事前定義された周波数領域ＦＲに限定される。
【００４８】
修正された複素スペクトルは、次いで、好ましくは時間離散変換および離散周波数変換を逆変換として使用して、周波数領域から時間領域に逆に変換される。この逆変換は、好ましくは、逆高速フーリエ変換（ＩＦＦＴ）である。
【００４９】
取得された、修正された残留反射プロファイルは、次いで、図１に示されるように、ステップＳ４からステップＳ５に提供される。修正された残留反射プロファイルＭＲＲＰのそのような例は、図７において線形領域に示されている。図１に示されるように、導出された、修正された残留反射プロファイルＭＲＲＰは、次いで、ステップＳ５において、先に推定された反射ピークＥＰと重ね合わせられる。これにより、推定された反射プロファイルＥＲＰが生じる。
【００５０】
図８ａおよび図８ｂは、線形領域ＥＲＰにおいて、また対数領域ＥＲＰＬにおいて、推定された反射プロファイルを示し、そこでは、これらのプロファイルは、横座標において時間スケール上にプロットされる。図２ａの最初に測定された反射プロファイルＲＰと図８ａの推定された反射プロファイルＥＲＰを線形領域において比較することによって、クロストークノイズの量が減少した一方、クロストークノイズを減少させたステップによる反射ピークに対する影響は最小限の量に保たれたことに留意されたい。図８ａを見ると、最初に見てとれた反射ピークＰ１、Ｐ２、およびＰ３を確認できるだけでなく、図２ａの反射プロファイルＲＰ内で以前は容易に見てとれなかった反射ピークＰ４も確認することができることが明白に分かる。
【００５１】
提案されている方法は、クロストークノイズの量を減少させるのに、最初に、推定された反射ピークを、測定された反射プロファイルから分離し、次いで残留反射プロファイルをフィルタリングするので有利である。さらに、後で、推定された反射ピークを修正された残留反射プロファイルと重ね合わせると、推定された反射プロファイルが得られ、そこでは、クロストークノイズの減少および反射ピークの維持という両方の目標が達成される。
【００５２】
図９ａおよび図９ｂは、線形領域ＥＲＰＤにおける、また対数領域ＥＲＰＤＬにおける推定された反射プロファイルをそれぞれ示し、そこでは、これらのプロファイルは、横座標において距離スケール上にプロットされる。
【００５３】
図１０は、好ましい実施形態による、光チャネルの反射プロファイルを推定するための提案されているデバイスを示す。
【００５４】
デバイスＤは、測定された反射プロファイルを表すデータをそこで受信することができるデータインタフェースＤＩを備える。
【００５５】
好ましくは、データインタフェースＤＩは、データバスＤＢを介して、処理デバイスＰおよびメモリデバイスＭに接続される。
【００５６】
メモリデバイスＭおよび処理デバイスＰは、以上で詳述された提案されている方法の様々なステップを協同で実行するように機能することができる。
【００５７】
したがって、メモリデバイスＭおよび処理デバイスＰは、協同で、測定された反射プロファイル内で反射ピークを推定し、さらに、推定された反射ピークを、測定された反射プロファイルから除外することによって、残留反射プロファイルを決定することができる。
【００５８】
さらに、デバイスＰおよびＭは、修正された残留反射プロファイルを決定するために、推定されたクロストーク周波数成分を残留反射プロファイル内で協同で修正することができる。最後に、デバイスＰおよびＭは、推定された反射プロファイルを決定するために、推定された反射ピークと修正された残留反射プロファイルを協同で重ね合わせることができる。
【００５９】
「プロセッサ」として分類された任意の機能ブロックを含む、図１０に示される様々な要素の機能は、専用のハードウェア、ならびに適切なソフトウェアと関連してソフトウェアを実行することができるハードウェアを使用することによって、提供されてもよい。プロセッサによって提供されるとき、機能は、単一の専用プロセッサによって、単一の共有プロセッサによって、またはその一部を共有することができる複数の個々のプロセッサによって、提供されてもよい。さらに、「プロセッサ」という用語の明示的な使用は、ソフトウェアを実行することができるハードウェアを排他的に指すものと解釈されるべきではなく、暗黙的に、デジタル信号プロセッサ（ＤＳＰ）のハードウェア、ネットワークプロセッサ、特定用途向け集積回路（ＡＳＩＣ）、フィールドプログラマブルゲートアレイ（ＦＰＧＡ）、ソフトウェアを記憶するための読出し専用メモリ（ＲＯＭ）、ランダムアクセスメモリ（ＲＡＭ）、および不揮発性記憶装置を非限定的に含んでもよい。また、従来の、および／または特注の、他のハードウェアも含まれてもよい。
【００６０】
当業者であれば、本明細書における任意のブロック図は、本発明の原理を具体化する例示的な回路の概念図を表すことが理解されよう。同様に、任意の流れ図は、実質的に、コンピュータ可読媒体において表現することができ、したがって、そのようなコンピュータまたはプロセッサが明示的に示されるかどうかを問わず、コンピュータまたはプロセッサによって実行できることが理解されよう。
【図１】
0005890940.tif 000002
【図２ａ】
0005890940.tif 000003
【図２ｂ】
0005890940.tif 000004
【図３】
0005890940.tif 000005
【図４ａ】
0005890940.tif 000006
【図４ｂ】
0005890940.tif 000007
【図５】
0005890940.tif 000008
【図６】
0005890940.tif 000009
【図７】
0005890940.tif 000010
【図８ａ】
0005890940.tif 000011
【図８ｂ】
0005890940.tif 000012
【図９ａ】
0005890940.tif 000013
【図９ｂ】
0005890940.tif 000014
【図１０】
0005890940.tif 000015